(57)【要約】      （修正有）【課題】人間の背中の形に合わせた波形に形成されていることを特徴とする組み合わせ式ベッドを提供する。【解決手段】下敷き手段２０と、下敷き手段２０の上面に取り付けられた複数のベッドブロック３１と、を備えた組み合わせ式ベッド１であって、複数のベッドブロック３１は、下敷き手段２０の上面に配置されて各ベッドブロック３１と結合することができる複数の第１の結合手段２１と、隣り合う２つのベッドブロック３１の間に取り付けられて該隣り合う２つのベッドブロック３１を結合させる複数の第２の結合手段３２と、を更に備えることを特徴とする組み合わせ式ベッド１を提供する。【選択図】図２
0003176661.tif 000002
【実用新案登録請求の範囲】
【請求項１】
下敷き手段と、前記下敷き手段の上面に取り付けられる複数のベッドブロックと、を備える組み合わせ式ベッドであって、
前記下敷き手段の上面に配置されて各ベッドブロックと結合することができる複数の第１の結合手段と、
隣り合う２つのベッドブロックの間に取り付けられて該隣り合う２つのベッドブロックを結合させる複数の第２の結合手段と、を更に備えることを特徴とする組み合わせ式ベッド。
【請求項２】
前記複数のベッドブロックは、組み合わされて上面が１つのベッド面となると共に、人間の背中の形に合う波形に形成されることができるように構成されていることを特徴とする請求項１に記載の組み合わせ式ベッド。
【請求項３】
前記複数のベッドブロックは、組み合わされて上面が１つのベッド面となると共に、凹部が形成されることができるように構成されており、
また、該凹部に嵌め込まれるためのサポートマットレスが備わっていることを特徴とする請求項１に記載の組み合わせ式ベッド。
【請求項４】
前記ベッドブロックを３つ有しており、該３つのベッドブロックでシングルサイズのベッドになっていることを特徴とする請求項１〜請求項３のいずれか一項に記載の組み合わせ式ベッド。
【請求項５】
前記ベッドブロックを６つ有しており、該６つのベッドブロックでダブルサイズのベッドになっていることを特徴とする請求項１〜請求項３のいずれか一項に記載の組み合わせ式ベッド。
【請求項６】
前記サポートマットレスに充填されている充填物として、茶葉やハーブ、木屑、羽毛、あるいは発泡ウレタンのうちのいずれか１つが使用されていることを特徴とする請求項３に記載の組み合わせ式ベッド。
【考案の詳細な説明】
【技術分野】
【０００１】
本考案は、組み合わせ式ベッドに関し、特に、複数のブロックを組み立てて使用するベッドに関するものである。
【背景技術】
【０００２】
一般のベッドは、寝た状態の人体にできるだけ均一に当たるように、多数のスプリング装置を備えたマットレスを使用しているが、凹凸を多数有する人体の表面形状に応じて体圧を適切に分散することができない。
【０００３】
従って、人体の表面形状に応じて体圧を適度に分散する組み立て式ベッド１０が開発された。図１に示されているように、該従来の組み立て式ベッド１０は、使用者の体型に応じて硬式または軟式材料からなる複数（図示例では４つ）のベッドブロック１２を使用すると共に、該複数のベッドブロック１２を収容するラッピングケース１１で該複数のベッドブロック１２とラッピングケース１１とを一体化して１つの組み立て式ベッドにする構成になっている。図示のように、ラッピングケース１１は、上方に向かって開口して中空部１１１を囲むように形成されていると共に、該開口を閉じるケースカバー１１２を有し、線ファスナーやボタン等の封止手段によって該開口を封止している。前記ベッドブロック１２は、硬式または軟式材料からなるものを選択してラッピングケース１１内に組み込むことができるので、使用者のニーズに応じて、組み合わせることができる。
【０００４】
しかし、このような従来のベッドブロック１２は、ラッピングケース１１の形に制限されているので、全体のサイズを変えることができないだけでなく、ケースカバー１１２が平面にしか対応できないため、ベッドブロック１２の人体に当たる面を人体の表面形状に応じてカーブ状にさせることもできない。
【考案の概要】
【考案が解決しようとする課題】
【０００５】
本考案は、組み合わされて上面が１つのベッド面となると共に、人間の背中の形に合う波形に形成され得るベッドブロックを使用できる組み合わせ式ベッドの提供を目的とする。
【課題を解決するための手段】
【０００６】
上記目的を達成すべく、本考案は、下敷き手段と、下敷き手段の上面に取り付けられる複数のベッドブロックと、を備える組み合わせ式ベッドであって、前記下敷き手段の上面に配置されて各ベッドブロックと結合することができる複数の第１の結合手段と、隣り合う２つのベッドブロックの間に取り付けられて該隣り合う２つのベッドブロックを結合させる複数の第２の結合手段と、を更に備えることを特徴とする組み合わせ式ベッドを提供する。
【考案の効果】
【０００７】
上記構成により、本考案の組み合わせ式ベッドは、ラッピングケースの代わりに下敷き手段及び第１、第２の結合手段で各ベッドブロックを一体化するので、上記従来例のようにラッピングケースの形状に制限されず、例えば人間の背中の形に合わせて波形に形成されたベッドブロックを自由に用いることができる。
【図面の簡単な説明】
【０００８】
【図１】従来の組み合わせ式ベッドの斜視図である。
【図２】本考案の第１の好ましい実施形態の分解斜視図である。
【図３】同第１の実施形態の斜視図である。
【図４】同第１の実施形態の断面図である。
【図５】本考案の第２の好ましい実施形態の斜視図である。
【図６】本考案の第３の好ましい実施形態の斜視図である。
【図７】本考案の第４の好ましい実施形態の断面図である。
【図８】本考案の第５の好ましい実施形態の断面図である。
【図９】本考案の第６の好ましい実施形態の断面図である。
【考案を実施するための形態】
【０００９】
以下では図面を参照しながら、本考案の好ましい実施形態について詳しく説明する。
【００１０】
図２〜図４には、本考案に係る組み合わせ式ベッド１の第１の好ましい実施形態が示されている。本考案の組み合わせ式ベッド１は、板状の下敷き手段２０と、該下敷き手段２０の上面に取り付けられて複数のベッドブロック３１と結合することができる複数の第１の結合手段２１と、を備えている。
【００１１】
複数のベッドブロック３１は、図３に示すように下敷き手段２０の上面に取り付けられて一つのマットレス３０となる。従って、板状の下敷き手段２０のサイズは、ベッドブロック３１が組み合わされてマットレス３０になるブロック数（本実施形態においては３つ）全体のサイズに対応している。本実施形態の組み合わせ式ベッド１は、シングルサイズのベッドとして使用することができる。
【００１２】
この実施形態では、ベッドブロック３１を下敷き手段２０の上面に確実に固定するための第１の結合手段２１として、大面積の面ファスナーが使用されている。
【００１３】
また、各ベッドブロック３１の間の結合には第２の結合手段３２を使用する。第２の結合手段３２としての面ファスナーは、隣り合う２つのベッドブロック３１の間に取り付けられ、該隣り合う２つのベッドブロック３１を粘着で結合させる。なお、第２の結合手段３２としてはボタンや、その他のファスナーなどを使うこともできる。
【００１４】
ちなみに、各ベッドブロック３１には、緩衝手段３３として複数のポケットコイルスプリングが組み込まれており、図４に示すように、緩衝手段３３としてのポケットコイルスプリングが多数並んで配置され、人体からの圧力を分散して人体を支持することができる。なお、緩衝手段３３としてはコイルスプリングや、発泡ウレタンや、天然ゴムなどを使用することができる。
【００１５】
図５には、本考案の第２の実施形態が示されている。この第２の実施形態は、第１の実施形態と類似しているため、図面における対応する箇所には第１の実施形態と同じ符号が付けられている。以下では、その相違点を中心に説明する。図５に示されているように、この実施形態では、マットレス３０は、６つのベッドブロック３１がそれぞれ、隣り合うベッドブロック３１の間に取り付けられている第２の結合手段３２により、互いに粘着結合されて構成されているので、ダブルサイズのベッドとして使用することができる。
【００１６】
図６には、本考案の第３の実施形態が示されている。この第３の実施形態は、第２の実施形態と類似しているため、図面における対応する箇所には第２の実施形態と同じ符号が付けられている。以下では、その相違点を中心に説明する。図６に示されているように、この実施形態は、第２の実施形態より身長が高い人向きに設計されており、マットレス３０は、１列につき４つのベッドブロック３１が２列に並ぶように、つまり８つのベッドブロック３１から構成されている。
【００１７】
図７には、本考案の第４の実施形態が示されている。この第４の実施形態は、第１の実施形態と類似しているため、図面における対応する箇所には第１の実施形態と同じ符号が付けられている。以下では、その相違点を中心に説明する。図７に示されているように、この実施形態では、人間の背中の表面形状に合う波形を有する凹部３４が形成されたマットレス３０を使用している。
【００１８】
図８には、本考案の第５の実施形態が示されている。この第５の実施形態は、第４の実施形態と類似しているため、図面における対応する箇所には第４の実施形態と同じ符号が付けられている。以下では、その相違点を中心に説明する。図８に示されているように、この実施形態では、３つのベッドブロック３１により構成されたマットレス３０の上面に凹部３４が形成されていると共に、該凹部３４に嵌め込まれたサポートマットレス３５を更に備えている。この実施形態においてサポートマットレス３５は充填物３５１により充填されたものであり、充填物３５１として例えば茶葉やハーブ、木屑、羽毛、あるいは発泡ウレタンなどからなる材料を使用することができる。
【００１９】
図９には、本考案の第６の実施形態が示されている。この第６の実施形態は、第１の実施形態と類似しているため、図面における対応する箇所には第１の実施形態と同じ符号が付けられている。以下では、その相違点を中心に説明する。図９に示されているように、この実施形態において、マットレス３０の上面は凹凸しながら緩やかに傾斜する波形に形成されている。このように形成されたマットレス３０は、例えば枕を使用しなくても快適な寝心地をもたらすことができる。
【産業上の利用可能性】
【００２０】
上記構成により、本考案の組み合わせ式ベッドは、ラッピングケースの代わりに下敷き手段及び第１、第２の結合手段で各ベッドブロックを一体化するので、上記従来例のようにラッピングケースの形状に制限されず、例えば人間の背中の形に合わせて波形に形成されたベッドブロックを自由に用いることができる。
【符号の説明】
【００２１】
１  組み合わせ式ベッド
２０  下敷き手段
２１  第１の結合手段
３０  マットレス
３１  ベッドブロック
３２  第２の結合手段
３３  緩衝手段
３４  凹部
３５  サポートマットレス
３５１  充填物
【図１】
0003176661.tif 000003
【図２】
0003176661.tif 000004
【図３】
0003176661.tif 000005
【図４】
0003176661.tif 000006
【図５】
0003176661.tif 000007
【図６】
0003176661.tif 000008
【図７】
0003176661.tif 000009
【図８】
0003176661.tif 000010
【図９】
0003176661.tif 000011